(57)【要約】    【課題】  瓶内容物−操作器具・装置間の相互汚染を防止でき、取り扱い時の瓶の転倒、転落もしくは他の瓶との接触といった不都合を防止でき、安全かつ容易な瓶の取り扱いを可能とする、瓶把持具および把持具付き瓶を提供すること。    【解決手段】  瓶把持具６１は、瓶挟持部６２とこれに連続して一体に設けられる取っ手部６３とから構成される。瓶挟持部６２は、瓶の被挟持部位の形状と概略符合する形状の符合部位６２Ａ、その先に設けられた狭幅部位６２Ｃ、さらにその先に設けられた導入部位６２Ｂとから形成された略Ω字形とする。取っ手部６２はトング・マニプレーター等により把持しやすいよう略板状に形成される。【選択図】  図６
2005255230.tif 000002
【特許請求の範囲】
【請求項１】
瓶を側方向から直接挟持するための瓶挟持部と、これに連続して設けられ、他の挟持手段によって挟持されるための取っ手部と、を備えたことを特徴とする、瓶把持具。
【請求項２】
前記取っ手部は、前記瓶挟持部から連続して設けられた棒状を含む略棒状もしくは板状を含む略板状、またはこれらの形状の複合された形状であることを特徴とする、請求項１に記載の瓶把持具。
【請求項３】
前記取っ手部は、前記瓶挟持部が瓶を挟持する鉛直方向上位置よりも高い位置で前記他の挟持手段による挟持を受けることができるように、該瓶挟持部が概略属する平面から離隔した部位をもって形成されていることを特徴とする、請求項２に記載の瓶把持具。
【請求項４】
前記取っ手部は、前記他の挟持手段からの安定した挟持を受けることができるように、少なくともその一部が板状を含む略板状に形成されていることを特徴とする、請求項２または３に記載の瓶把持具。
【請求項５】
前記取っ手部には、前記他の挟持手段からの安定した挟持を受けるための凹陥部が少なくとも一箇所設けられていることを特徴とする、請求項４に記載の瓶把持具。
【請求項６】
前記取っ手部の略板状に形成された部位は、そのおもて面が鉛直方向を含む概略鉛直方向に向けられて形成されているか、またはそのおもて面を鉛直方向を含む概略鉛直方向に向けることができるように形成されていることを特徴とする、請求項４に記載の瓶把持具。
【請求項７】
前記取っ手部には、少なくともその一部に、前記他の挟持手段からの滑り落ちを防止するための滑り止め手段が設けられていることを特徴とする、請求項１ないし６のいずれかに記載の瓶把持具。
【請求項８】
前記滑り止め手段は、前記取っ手部表面部に滑り止め加工が施されてなる滑り止め部か、または摩擦の大きい部材が取り付けられてなる滑り止め部であることを特徴とする、請求項７に記載の瓶把持具。
【請求項９】
前記瓶挟持部は、瓶の被挟持部位の形状と概略符合する形状の符合部位と、該符合部位の先に設けられた該符合部位の最大幅よりも狭い幅の狭幅部位と、該狭幅部位の先に設けられた先端方向に漸次幅の広がっている導入部位とからなることを特徴とする、請求項１ないし８のいずれかに記載の瓶把持具。
【請求項１０】
請求項１ないし９のいずれかに記載の瓶把持具が瓶に取り付けられてなることを特徴とする、把持具付き瓶。
【発明の詳細な説明】
【技術分野】
【０００１】
本発明は瓶把持具および把持具付き瓶に係り、具体的には、瓶内容物−操作器具・装置間の相互汚染を防止でき、取り扱い時の瓶の転倒、転落もしくは他の瓶との接触といった不都合を防止でき、安全かつ容易な瓶の取り扱いを可能とする、瓶把持具および把持具付き瓶に関する。特に、バイアル瓶を用いての核物質の分析など、取り扱いに相当の相互汚染防止が要求される分野における、安全かつ容易な瓶の取り扱いをも可能とするような、瓶把持具および把持具付き瓶に関する。
【背景技術】
【０００２】
従来、ホットセルやグローブボックス内での核物質の分析作業においては、試料を入れたガラス製のバイアル瓶を、マニプレーターやトングを用いて直接把持し、その保持、移動などの操作が行われてきた。
【０００３】
バイアル瓶はトング・マニプレーター等によって直接把持されるため、これらの間に相互汚染が発生しないような慎重な取り扱いが必要である。すなわちトング・マニプレーター等には、その使用履歴によって、バイアル瓶中の試料に対して汚染を発生させるような種々の物質が付着している可能性があるからである。
【０００４】
また、かかる分析作業においては、複数のバイアル瓶を隣接して載置する場合があるが、このような場合には、マニプレーターやトングでの操作対象の瓶に隣接する瓶を誤って接触、転倒させないようにしたり、操作対象の瓶を誤って滑落させ、破損させないようにする注意も必要である。
【０００５】
バイアル瓶の把持方法に関する先行技術の状況を把握するため、下記により検索調査を行った。
使用データベース：特許電子図書館（特許庁）
使用検索メニュー：特許実用新案公報テキスト検索
検索条件：｛発明の名称＝（具＋器＋機＋装置）｝＊｛要約＋請求の範囲＝（ビン＋びん＋瓶）＊バイアル＊（把持＋挟持）｝
対象公報：特許公開公報、特許公報、実用新案公開公報、実用新案公報
検索日：平成１６年２月１１日
【０００６】
その結果、下記の検索調査結果を得た。
検索結果：８件
文献は次の通りである。
１  特開2003-237927 バイオロジカル・アイソレーター内のアンプル、バイアル瓶等の薬瓶類の移送方法、同薬瓶類移送用トレー、及び同薬瓶類の移送装置  
２  特開平09-248326 輸液容器  
３  再表00/063088 容器用キャップ及び液体連通用アダプタ
４  特開2000-084042 輸液容器の保管・保存方法  
５  特開平09-015390 液体シンチレータなどの廃液回収方法、及び、廃液回収装置  
６  特許2763108 ろ過装置およびろ液分配受け装置  
７  実開平06-070738 輸液容器  
８  実開平06-070737 輸液容器  
【０００７】
【特許文献１】実開平06-070738号公報。「輸液容器」。要約、図１。
【発明の開示】
【発明が解決しようとする課題】
【０００８】
さて、核物質分析作業における従来のバイアル瓶操作においては、汚染防止等の観点から注意すべき点があることは上述のとおりであるが、相互汚染防止効果、取り扱い性向上の効果を得るためには、従来の方法が内包する問題点を把握することが必要である。要するに従来の方法では、トング・マニプレーター等が直接に瓶を把持するということが、相互汚染の危険性、把持操作での瓶への衝撃力付与、瓶の形状を直接把持する操作の複雑さの原因となっている。したがって、この点に着目して課題解決を図ることにより、相互汚染防止効果、取り扱い性向上の効果を高度に得ることができる。
【０００９】
しかし、上述の特許文献１を始めとした検索文献にも、この点に着目した解決方法はまったく示されてはいない。そこで本発明が解決しようとする課題は、上記従来技術の問題点を除き、瓶内容物−操作器具・装置間の相互汚染を防止でき、取り扱い時の瓶の転倒、転落もしくは他の瓶との接触といった不都合を防止でき、安全かつ容易な瓶の取り扱いを可能とする、瓶把持具および把持具付き瓶を提供することである。
【００１０】
特に、バイアル瓶を用いての核物質の正確かつ精密な分析など、取り扱いに相当の相互汚染防止が要求される分野における、安全かつ容易な瓶の取り扱いをも可能とするような、瓶把持具および把持具付き瓶を提供することである。
【課題を解決するための手段】
【００１１】
本願発明者は上記課題について検討した結果、トング・マニプレーター等が瓶への直接の接触をしなくても済むように、予めバイアル等の瓶に装着しておくことができ、また、ホットセルやグローブボックス内で予めマニプレーター、トング等により把持装着しておくことのできる器具を構成することによって上記課題の解決が可能であることを見出し、本発明に至った。すなわち、上記課題を解決するための手段として本願で特許請求される発明は、以下のとおりである。
【００１２】
（１）  瓶を側方向から直接挟持するための瓶挟持部と、これに連続して設けられ、他の挟持手段によって挟持されるための取っ手部と、を備えたことを特徴とする、瓶把持具。
（２）  前記取っ手部は、前記瓶挟持部から連続して設けられた棒状を含む略棒状もしくは板状を含む略板状、またはこれらの形状の複合された形状であることを特徴とする、請求項１に記載の瓶把持具。
（３）  前記取っ手部は、前記瓶挟持部が瓶を挟持する鉛直方向上位置よりも高い位置で前記他の挟持手段による挟持を受けることができるように、該瓶挟持部が概略属する平面から離隔した部位をもって形成されていることを特徴とする、（２）に記載の瓶把持具。
（４）  前記取っ手部は、前記他の挟持手段からの安定した挟持を受けることができるように、少なくともその一部が板状を含む略板状に形成されていることを特徴とする、（２）または（３）に記載の瓶把持具。
（５）  前記取っ手部には、前記他の挟持手段からの安定した挟持を受けるための凹陥部が少なくとも一箇所設けられていることを特徴とする、（４）に記載の瓶把持具。
（６）  前記取っ手部の略板状に形成された部位は、そのおもて面が鉛直方向を含む概略鉛直方向に向けられて形成されているか、またはそのおもて面を鉛直方向を含む概略鉛直方向に向けることができるように形成されていることを特徴とする、（４）に記載の瓶把持具。
【００１３】
（７）  前記取っ手部には、少なくともその一部に、前記他の挟持手段からの滑り落ちを防止するための滑り止め手段が設けられていることを特徴とする、（１）ないし（６）のいずれかに記載の瓶把持具。
（８）  前記滑り止め手段は、前記取っ手部表面部に滑り止め加工が施されてなる滑り止め部か、または摩擦の大きい部材が取り付けられてなる滑り止め部であることを特徴とする、（７）に記載の瓶把持具。
【００１４】
（９）  前記瓶挟持部は、瓶の被挟持部位の形状と概略符合する形状の符合部位と、該符合部位の先に設けられた該符合部位の最大幅よりも狭い幅の狭幅部位と、該狭幅部位の先に設けられた先端方向に漸次幅の広がっている導入部位とからなることを特徴とする、（１）ないし（８）のいずれかに記載の瓶把持具。
【００１５】
（１０）  （１）ないし（９）のいずれかに記載の瓶把持具が瓶に取り付けられてなることを特徴とする、把持具付き瓶。
【発明の効果】
【００１６】
本発明の瓶把持具および把持具付き瓶は上述のように構成されるため、これによれば、瓶内容物−操作器具・装置間の相互汚染を効果的に防止でき、また、取り扱い時の隣接して載置される他の瓶の転倒、操作対象である瓶の滑落、転落もしくは他の瓶との接触といった不都合を防止でき、安全かつ容易な瓶の取り扱いが可能となる。
【００１７】
本発明の瓶把持具は、トング・マニプレーター等が瓶への直接の接触をしなくても済むように、予めバイアル等の瓶に装着しておくことができる。また、ホットセルやグローブボックス内で予めトング・マニプレーター等により把持装着しておき、トング・マニプレーター等の操作により瓶に対する着脱を行う形で用いることもできる。
【００１８】
本発明は特に、バイアル瓶を用いての核物質の分析など、取り扱いに相当の相互汚染防止が要求される分野においても、安全かつ容易な瓶の取り扱いが可能となる。
【発明を実施するための最良の形態】
【００１９】
以下、本発明を図面により詳細に説明する。
図１は、本発明の瓶把持具の構成を示す説明図である。図において本瓶把持具１は、瓶を側方向から直接挟持するための瓶挟持部２と、これに連続して設けられ、トング・マニプレーター等他の挟持手段によって挟持されるための取っ手部３と、を備えていることを主たる構成とする（上記（１）の発明）。
【００２０】
かかる基本構成により本発明の瓶把持具１を用いれば、該瓶挟持部２により瓶が側方向から直接挟持され、これに連続して設けられた該取っ手部３において、トング・マニプレーター等他の挟持手段により挟持され、取り扱われる。これにより、トング・マニプレーター等他の挟持手段と瓶とが直接接触することが避けられるため、相互汚染が効果的に防止される。
【００２１】
図２は、本発明の瓶把持具の別の構成を示す説明図である。図において本把持具２１は、前記取っ手部２３が、前記瓶挟持部２２から連続して設けられた棒状を含む略棒状もしくは板状を含む略板状であるか、またはこれらの形状の複合された形状であることを、特徴的な構成とする（上記（２）の発明）。図においては、板状の例が示されている。
【００２２】
かかる構成により本把持具２１は、略棒状もしくは略板状またはこれらの複合形状を有する取っ手部２３において、前記トング・マニプレーター等の他の挟持手段による挟持を受け、取り扱われる。
【００２３】
図３は、本発明の瓶把持具の別の構成を示す説明図である。図において本把持具３１は、前記取っ手部３３が、前記瓶挟持部３２が瓶を挟持する鉛直方向上位置よりも高い位置で前記他の挟持手段による挟持を受けることができるように、該瓶挟持部３２が概略属する平面から離隔した部位をもって形成されていることを、特徴的な構成とする（上記（３）の発明）。
【００２４】
かかる構成により本瓶把持具３１では、前記取っ手部３３は、前記瓶挟持部３２が瓶を挟持する鉛直方向上位置よりも高い位置で前記他の挟持手段により挟持される。したがって、複数の瓶が並べられて載置されている場合に特定の瓶を把持しようとする場合等において、周囲にある他の瓶への誤接触を防止して確実にかつ容易に把持することができ、便利である。
【００２５】
図２、３において、本発明瓶把持具２１、３１は、前記取っ手部２３、３３が、前記他の挟持手段からの安定した挟持を受けることができるように、少なくともその一部が板状を含む略板状に形成されたものとすることができる（上記（４）の発明）。
【００２６】
該取っ手部２３、３３が板状に形成されることにより、トング・マニプレーター等の他の挟持手段との接触面積が大きくなり、より安定した挟持を得ることができる。
【００２７】
図４は、本発明の瓶把持具のまた別の構成を示す説明図である。図において本把持具４１は、前記取っ手部４３に、前記他の挟持手段からの安定した挟持を受けるための凹陥部４５が少なくとも一箇所設けられた構成とすることができる（上記（５）の発明）。該凹陥部４５の形状は、該他の挟持手段と嵌合できる形状または少なくとも部分的に該他の挟持手段が係止される形状であればよく、配設状態は、図のように端部に開放、連続した状態でも、あるいは内側に閉じた状態でもよい。
【００２８】
かかる構成により本瓶把持具４１の使用では、前記取っ手部４３の凹陥部４５に対して、トング・マニプレーター等他の挟持手段による、嵌合した状態での把持がなされ、それにより、該他の挟持手段からのより安定した挟持がなされる。
【００２９】
図５は、本発明の瓶把持具のまた別の構成を示す説明図である。図示するように本把持具５１は、前記取っ手部５３の略板状に形成された部位のおもて面が、鉛直方向を含む概略鉛直方向に向けられて形成されているか、またはそのおもて面を、鉛直方向を含む概略鉛直方向に向けることができるように形成されている構成とすることができる（上記（６）の発明）。
【００３０】
かかる構成により、トング・マニプレーター等の他の挟持手段は該取っ手部５３を、上下から挟み込んで挟持することができるため、本瓶把持具５１が挟持面から下方へ落下する危険性を相当軽減することができる。
【００３１】
以上説明した本発明瓶把持具の取っ手部には、少なくともその一部に、前記他の挟持手段からの滑り落ちを防止するための滑り止め手段を設けることとすることができる（上記（７）の発明）。
【００３２】
該滑り止め手段としては、該取っ手部表面部に、たとえば凹凸状にする等の滑り止め加工を施してなる滑り止め部とすることもできるし、また、該取っ手部表面部に、ゴム性部材その他弾性材料からなる部材等、摩擦の大きい部材を取り付けてなる滑り止め部とすることもできる（上記（８）の発明）。
【００３３】
図６は、本発明の瓶把持具のまた別の構成を示す説明図である。図示するように本把持具６１においては、前記瓶挟持部６２を、瓶の被挟持部位の形状と概略符合する形状の符合部位６２Ａと、該符合部位６２Ａの先に設けられた該符合部位６２Ａの最大幅よりも狭い幅の狭幅部位６２Ｃと、該狭幅部６２Ｃの先に設けられた先端方向に漸次幅の広がっている導入部位６２Ｂとから形成するものとすることができる（上記（９）の発明）。かかる形状の具体例としては、図示するように、該符合部位６２Ａが略円弧状で、該導入部位６２Ｂが嘴状となっている、略Ω字形を挙げることができる。また該瓶挟持部６２は、特にその狭幅部位６２Ｃを中心として側方方向にある程度の弾性を有するように形成される。
【００３４】
かかる構成により、本瓶把持具６１を瓶に予め嵌め込み装着しておいて、後からその取っ手部６３をトング・マニプレーター等で挟持し取り扱う場合であっても、あるいはまた予めトング・マニプレーター等により把持された本瓶把持具６１を、その瓶挟持部６２でもって取り扱い対象の瓶に嵌め込む場合であっても、瓶への嵌め込みは、先端部に拡開状となっている該導入部位６２Ｂの先端部を瓶の首部へ押し込み、そこから、該狭幅部位６２Ｃを経て、ちょうど瓶の平面形状と符合する形状の符合部位６２Ａへ、上記弾性による作用と相俟って自然な収容状況で瓶を収容することができ、かつ、一度該符合部位６２Ａに収容された瓶は、一定の力を加えなくては容易には脱離せず、したがって取扱中、安定的に瓶の挟持を維持することができる。
【００３５】
図７は、本発明の把持具付き瓶の構成例を示す斜視図である。図示するように本把持具付き瓶７００は、以上説明したような瓶把持具７１が、瓶７９に取り付けられてなる（（１０）の発明）。
図８は、本発明の把持具付き瓶の別の構成例を示す斜視図である。図示するように本把持具付き瓶８００は、瓶把持具８１が、瓶８９に取り付けられてなる。ここで取っ手部（８３）は板状に形成されており、トング・マニプレーター等によってより挟持しやすくなっている。
【実施例】
【００３６】
本発明の瓶把持具の実施例を、図を用いて説明するが、本発明が本例に限定されるものではない。なお、以下の説明においては、瓶把持具を「バイアルクリップ」と称することがある。
【００３７】
＜実施例１＞
図９〜１５は、本発明バイアルクリップの実施例１を写真にて示す図である。このうち、
図９は全体の外観、
図１０、１１、１２、１３、１４および１５はそれぞれ、図９に示したバイアルクリップについての、正面図、背面図、右側面図、左側面図、上面図および底面図を表す写真図である。
【００３８】
図１６は、実施例１の瓶把持具（バイアルクリップ）のマニプレーターによる取り扱い例を、また、
図１７は、同じくトングによる取り扱い例を、それぞれ示す斜視図である。図１６、１７の例において、瓶把持具９１は予め瓶９９に装着させておき、これをマニプレーター２００等で挟持することも、または逆に、予めマニプレーター２００等に把持しておいて、瓶９９の首部に前記瓶挟持部を押し込んでこれを把持することもできる。
【産業上の利用可能性】
【００３９】
本発明の瓶把持具および把持具付き瓶は上述のように構成されるため、特に、バイアル瓶を用いての核物質の分析など、取り扱いに相当の相互汚染防止が要求される分野においても、安全かつ容易な瓶の取り扱いが可能となり、産業上利用価値が高い。
【図面の簡単な説明】
【００４０】
【図１】本発明の瓶把持具の構成を示す説明図である。
【図２】取っ手部に特徴を有する本発明の瓶把持具の構成を示す説明図である。
【図３】取っ手部に特徴を有する本発明の瓶把持具の別の構成を示す説明図である。
【図４】取っ手部に凹陥部を有する本発明の瓶把持具の別の構成を示す説明図である。
【図５】取っ手部に特徴を有する本発明の瓶把持具のまた別の構成を示す説明図である。
【図６】瓶挟持部に特徴を有する本発明の瓶把持具の構成を示す説明図である。
【図７】本発明の把持具付き瓶の構成例を示す斜視図である。
【図８】本発明の把持具付き瓶の別の構成例を示す斜視図である。
【００４１】
【図９】本発明瓶把持具の実施例１の全体の外観を写真にて示す図である。
【図１０】実施例１の正面図を写真にて示す図である。
【図１１】実施例１の背面図を写真にて示す図である。
【図１２】実施例１の右側面図を写真にて示す図である。
【図１３】実施例１の左側面図を写真にて示す図である。
【図１４】実施例１の上面図を写真にて示す図である。
【図１５】実施例１の底面図を写真にて示す図である。
【図１６】マニプレーターによる取り扱い例を示す斜視図である。
【図１７】トングによる取り扱い例を示す斜視図である。
【符号の説明】
【００４２】
１、２１、３１、４１、５１、６１、７１、８１、９１…瓶把持具
２、２２、３２、４２、５２、６２、７２…瓶挟持部
３、２３、３３、４３、５３、６３、７３…取っ手部
４５…凹陥部
６２Ａ、７２Ａ…符合部位
６２Ｂ、７２Ｂ…導入部位
６２Ｃ…狭幅部位
７９、８９、９９…瓶
２００…マニプレーター
３００…トング
７００、８００…把持具付き瓶
【図１】
2005255230.tif 000003
【図２】
2005255230.tif 000004
【図３】
2005255230.tif 000005
【図４】
2005255230.tif 000006
【図５】
2005255230.tif 000007
【図６】
2005255230.tif 000008
【図７】
2005255230.tif 000009
【図８】
2005255230.tif 000010
【図１６】
2005255230.tif 000011
【図１７】
2005255230.tif 000012
【図９】
2005255230.tif 000013
【図１０】
2005255230.tif 000014
【図１１】
2005255230.tif 000015
【図１２】
2005255230.tif 000016
【図１３】
2005255230.tif 000017
【図１４】
2005255230.tif 000018
【図１５】
2005255230.tif 000019